(57)【要約】【課題】  情報登録処理において、登録作業を行なうユーザの労力を軽減することができる、登録情報管理装置を提供する。【解決手段】  店舗のアンケート情報の登録において、初回登録時以降の登録を受け付けた場合には、ユーザ属性情報が既に登録されているか否かを判定し、登録されている場合には、アンケート結果の情報のみの登録をユーザに行なわせる。また他の店舗の場合のアンケート結果の初回登録時には、それまで登録されていたアンケート情報から属性情報を読み取って、今回のアンケート結果と共に移行登録する。【選択図】    図１
2007094485.tif 000002
【特許請求の範囲】
【請求項１】
電子メールの送信元となる端末の送信元メールアドレスと、前記端末を利用するユーザの属性情報と、前記電子メールの送信先メールアドレスにより唯一特定される登録単位の識別情報と、を少なくとも対応付けて記憶するユーザ情報記憶手段と、
前記端末より通信ネットワークを介して電子メールを受信するメール受信手段と、
前記受信した電子メールで示される送信元メールアドレスが、当該電子メールで示される送信先メールアドレスにより唯一特定される前記登録単位の識別情報に対応付けられて前記ユーザ情報記憶手段に記録されているか否かを判定するメールアドレス登録判定手段と、
前記電子メールで示される送信元メールアドレスが、当該電子メールで示される送信先メールアドレスにより唯一特定される前記登録単位の識別情報に対応付けられて前記ユーザ情報記憶手段に記録されていない場合に、当該電子メールで示される送信先メールアドレスを、該送信先メールアドレスにより唯一特定される登録単位の識別情報に対応付けて前記ユーザ情報記憶手段に登録するメールアドレス登録手段と、
前記登録単位毎に、前記電子メールを送信するユーザの属性情報と、そのユーザが属性情報以外に登録する他情報の、何れか一方または両方の登録用画面を記憶する登録用画面記憶手段と、
前記電子メールで示される送信元メールアドレスが当該電子メールで示される送信先メールアドレスにより唯一特定される前記登録単位の識別情報に対応付けられて前記ユーザ情報記憶手段に記録されていない場合には、前記属性情報と前記他情報との両方の情報を登録する前記登録用画面の送信要求先の識別情報を示す電子メールを、前記送信元メールアドレス宛てに送信し、前記電子メールで示される送信元メールアドレスが当該電子メールで示される送信先メールアドレスにより唯一特定される前記登録単位の識別情報に対応付けられて前記ユーザ情報記憶手段に記録されている場合には、前記他情報のみの情報を登録する前記登録用画面の送信要求先の識別情報を示す電子メール、または、前記属性情報については前記ユーザ情報記憶手段から読み取った属性情報が表示され前記他情報のみの情報を登録する前記登録用画面の送信要求先の識別情報を示す電子メール、のいずれかを、前記送信元メールアドレス宛てに送信する送信要求先情報返信手段と、
前記送信要求先への前記登録用画面の送信要求を端末から受付ける送信要求受付手段と、
前記送信要求に基づく前記登録用画面を前記端末へ送信する登録用画面送信手段と、
前記登録用画面に登録された前記属性情報と前記他情報の両方、または前記他情報のみを受付け、それらを、前記ユーザ情報記憶手段または他情報記憶手段に、前記送信元メールアドレスに対応付けて登録する登録情報登録手段と、
を備えることを特徴とする登録情報管理装置。
【請求項２】
前記送信要求先情報返信手段は、
前記受信した電子メールで示される送信元メールアドレスが、当該電子メールで示される送信先メールアドレスにより唯一特定される前記登録単位の識別情報に対応付けられて前記ユーザ情報記憶手段に記録されていない場合であっても、他の登録単位の識別情報に対応付けられて前記ユーザ情報記憶手段に記録されている場合には、
前記他情報のみの情報を登録する前記登録用画面の送信要求先の識別情報を示す電子メール、または、前記属性情報については前記ユーザ情報記憶手段から読み取った属性情報が表示され前記他情報のみの情報を登録する前記登録用画面の送信要求先の識別情報を示す電子メール、のいずれかを、前記送信元メールアドレス宛てに送信し、
属性情報移行登録手段が、
他の登録単位の識別情報に対応付けられて前記ユーザ情報記憶手段に記録されている属性情報と、前記受信した電子メールで示される送信元メールアドレスとを、前記受信した電子メールで示される送信先メールアドレスにより唯一特定される前記登録単位の識別情報に対応付けて、前記ユーザ情報記憶手段に登録する
ことを特徴とする請求項１に記載の登録情報管理装置。
【請求項３】
前記登録単位が、店舗の単位であり、
前記他情報が、アンケート情報である
ことを特徴とする請求項１または請求項２に記載の登録情報管理装置。
【請求項４】
前記登録単位の識別情報に対応付けられて前記ユーザ情報記憶手段に記録されている同一の送信元メールアドレスの数に応じてポイントを計算し、少なくとも前記登録単位の識別情報と、当該送信元メールアドレスと、に対応付けて前記計算したポイントをポイント記憶手段に登録するポイント計算手段と、
を備えることを特徴とする請求項１から請求項３に記載の登録情報管理装置。
【請求項５】
前記端末から送信された電子メールの件名または本文の何れかに単語が含まれるか否かを判定し、単語が含まれる場合には、その単語と電子メールの送信元メールアドレスに対応付けられて前記他情報記憶手段に記録されている前記他情報、または前記ポイント記憶手段に記録されているポイントの何れか一方または両方を前記端末に返信する登録情報返信手段と、
を備えることを特徴とする請求項１から請求項４に記載の登録情報管理装置。
【請求項６】
登録情報管理装置における登録情報管理方法であって、
登録情報管理装置のユーザ情報記憶手段が、電子メールの送信元となる端末の送信元メールアドレスと、前記端末を利用するユーザの属性情報と、前記電子メールの送信先メールアドレスにより唯一特定される登録単位の識別情報と、を少なくとも対応付けて記憶し、
登録情報管理装置のメール受信手段が、前記端末より通信ネットワークを介して電子メールを受信し、
登録情報管理装置のメールアドレス登録判定手段が、前記受信した電子メールで示される送信元メールアドレスが、当該電子メールで示される送信先メールアドレスにより唯一特定される前記登録単位の識別情報に対応付けられて前記ユーザ情報記憶手段に記録されているか否かを判定し、
登録情報管理装置のメールアドレス登録手段が、前記電子メールで示される送信元メールアドレスが、当該電子メールで示される送信先メールアドレスにより唯一特定される前記登録単位の識別情報に対応付けられて前記ユーザ情報記憶手段に記録されていない場合に、当該電子メールで示される送信先メールアドレスを、該送信先メールアドレスにより唯一特定される登録単位の識別情報に対応付けて前記ユーザ情報記憶手段に登録し、
登録情報管理装置の登録用画面記憶手段が、前記登録単位毎に、前記電子メールを送信するユーザの属性情報と、そのユーザが属性情報以外に登録する他情報の、何れか一方または両方の登録用画面を記憶し、
登録情報管理装置の送信要求先情報返信手段が、前記電子メールで示される送信元メールアドレスが当該電子メールで示される送信先メールアドレスにより唯一特定される前記登録単位の識別情報に対応付けられて前記ユーザ情報記憶手段に記録されていない場合には、前記属性情報と前記他情報との両方の情報を登録する前記登録用画面の送信要求先の識別情報を示す電子メールを、前記送信元メールアドレス宛てに送信し、前記電子メールで示される送信元メールアドレスが当該電子メールで示される送信先メールアドレスにより唯一特定される前記登録単位の識別情報に対応付けられて前記ユーザ情報記憶手段に記録されている場合には、前記他情報のみの情報を登録する前記登録用画面の送信要求先の識別情報を示す電子メール、または、前記属性情報については前記ユーザ情報記憶手段から読み取った属性情報が表示され前記他情報のみの情報を登録する前記登録用画面の送信要求先の識別情報を示す電子メール、のいずれかを、前記送信元メールアドレス宛てに送信し、
登録情報管理装置の送信要求受付手段が、前記送信要求先への前記登録用画面の送信要求を端末から受付け、
登録情報管理装置の登録用画面送信手段が、前記送信要求に基づく前記登録用画面を前記端末へ送信し、
登録情報管理装置の登録情報登録手段が、前記登録用画面に登録された前記属性情報と前記他情報の両方、または前記他情報のみを受付け、それらを、前記ユーザ情報記憶手段または他情報記憶手段に、前記送信元メールアドレスに対応付けて登録する
ことを特徴とする登録情報管理方法。
【請求項７】
電子メールの送信元となる端末の送信元メールアドレスと、前記端末を利用するユーザの属性情報と、前記電子メールの送信先メールアドレスにより唯一特定される登録単位の識別情報と、を少なくとも対応付けて記憶するユーザ情報記憶手段と、
前記登録単位毎に、前記電子メールを送信するユーザの属性情報と、そのユーザが属性情報以外に登録する他情報の、何れか一方または両方の登録用画面を記憶する登録用画面記憶手段と、
を備えた登録情報管理装置のコンピュータに実行させるプログラムであって、
前記端末より通信ネットワークを介して電子メールを受信するメール受信処理と、
前記受信した電子メールで示される送信元メールアドレスが、当該電子メールで示される送信先メールアドレスにより唯一特定される前記登録単位の識別情報に対応付けられて前記ユーザ情報記憶手段に記録されているか否かを判定するメールアドレス登録判定処理と、
前記電子メールで示される送信元メールアドレスが、当該電子メールで示される送信先メールアドレスにより唯一特定される前記登録単位の識別情報に対応付けられて前記ユーザ情報記憶手段に記録されていない場合に、当該電子メールで示される送信先メールアドレスを、該送信先メールアドレスにより唯一特定される登録単位の識別情報に対応付けて前記ユーザ情報記憶手段に登録するメールアドレス登録処理と、
前記電子メールで示される送信元メールアドレスが当該電子メールで示される送信先メールアドレスにより唯一特定される前記登録単位の識別情報に対応付けられて前記ユーザ情報記憶手段に記録されていない場合には、前記属性情報と前記他情報との両方の情報を登録する前記登録用画面の送信要求先の識別情報を示す電子メールを、前記送信元メールアドレス宛てに送信し、前記電子メールで示される送信元メールアドレスが当該電子メールで示される送信先メールアドレスにより唯一特定される前記登録単位の識別情報に対応付けられて前記ユーザ情報記憶手段に記録されている場合には、前記他情報のみの情報を登録する前記登録用画面の送信要求先の識別情報を示す電子メール、または、前記属性情報については前記ユーザ情報記憶手段から読み取った属性情報が表示され前記他情報のみの情報を登録する前記登録用画面の送信要求先の識別情報を示す電子メール、のいずれかを、前記送信元メールアドレス宛てに送信する送信要求先情報返信処理と、
前記送信要求先への前記登録用画面の送信要求を端末から受付ける送信要求受付処理と、
前記送信要求に基づく前記登録用画面を前記端末へ送信する登録用画面送信処理と、
前記登録用画面に登録された前記属性情報と前記他情報の両方、または前記他情報のみを受付け、それらを、前記ユーザ情報記憶手段または他情報記憶手段に、前記送信元メールアドレスに対応付けて登録する登録情報登録処理と、
をコンピュータに実行させるプログラム。
【発明の詳細な説明】
【技術分野】
【０００１】
本発明は、端末とサーバ間でユーザの情報を登録する処理を行なう、登録情報管理装置及び登録情報管理方法並びにそのプログラムと記録媒体に関する。
【背景技術】
【０００２】
携帯電話、ＰＤＡ（Personal Digital Assistant）、ノートＰＣ（Personal Computer）などの携帯端末の技術や、通信ネットワーク技術の高度化に伴い、販売促進、アンケート調査、ユーザ情報管理のために、企業などがユーザ情報やその他の情報の登録を携帯端末で行なうようユーザに依頼し、ユーザが携帯端末から登録処理を行なって、サーバで管理することが近年多く行なわれている。このような技術として特許文献１が公開されている。
【特許文献１】特開２００２−３２５２０号公報
【発明の開示】
【発明が解決しようとする課題】
【０００３】
ここで、このような登録処理においては、ユーザに対してサーバがＩＤやパスワードを発行し、ユーザは携帯端末からＩＤやパスワードを入力して自分の認証を行い、その後、携帯端末に各種情報をユーザが入力して、サーバに登録を行なうといった処理を行なっている。しかしながらこれらの作業は手間がかかるため、ユーザが情報の登録を敬遠する傾向があり、また登録情報の管理システムを構築したとしても十分に利用されていないという現状がある。また登録情報の複数回にわたる登録作業において、一度登録した情報を次回に再度登録しなければならないこともあり、ユーザの登録作業に多くの労力をかける仕組みとなっていた。
【０００４】
そこでこの発明は、情報登録処理において、登録作業を行なうユーザの労力を軽減することができる、登録情報管理装置及び登録情報管理方法並びにそのプログラムと記録媒体を提供することを目的としている。
【課題を解決するための手段】
【０００５】
上記目的を達成するために、本発明は、電子メールの送信元となる端末の送信元メールアドレスと、前記端末を利用するユーザの属性情報と、前記電子メールの送信先メールアドレスにより唯一特定される登録単位の識別情報と、を少なくとも対応付けて記憶するユーザ情報記憶手段と、前記端末より通信ネットワークを介して電子メールを受信するメール受信手段と、前記受信した電子メールで示される送信元メールアドレスが、当該電子メールで示される送信先メールアドレスにより唯一特定される前記登録単位の識別情報に対応付けられて前記ユーザ情報記憶手段に記録されているか否かを判定するメールアドレス登録判定手段と、前記電子メールで示される送信元メールアドレスが、当該電子メールで示される送信先メールアドレスにより唯一特定される前記登録単位の識別情報に対応付けられて前記ユーザ情報記憶手段に記録されていない場合に、当該電子メールで示される送信先メールアドレスを、該送信先メールアドレスにより唯一特定される登録単位の識別情報に対応付けて前記ユーザ情報記憶手段に登録するメールアドレス登録手段と、前記登録単位毎に、前記電子メールを送信するユーザの属性情報と、そのユーザが属性情報以外に登録する他情報の、何れか一方または両方の登録用画面を記憶する登録用画面記憶手段と、前記電子メールで示される送信元メールアドレスが当該電子メールで示される送信先メールアドレスにより唯一特定される前記登録単位の識別情報に対応付けられて前記ユーザ情報記憶手段に記録されていない場合には、前記属性情報と前記他情報との両方の情報を登録する前記登録用画面の送信要求先の識別情報を示す電子メールを、前記送信元メールアドレス宛てに送信し、前記電子メールで示される送信元メールアドレスが当該電子メールで示される送信先メールアドレスにより唯一特定される前記登録単位の識別情報に対応付けられて前記ユーザ情報記憶手段に記録されている場合には、前記他情報のみの情報を登録する前記登録用画面の送信要求先の識別情報を示す電子メール、または、前記属性情報については前記ユーザ情報記憶手段から読み取った属性情報が表示され前記他情報のみの情報を登録する前記登録用画面の送信要求先の識別情報を示す電子メール、のいずれかを、前記送信元メールアドレス宛てに送信する送信要求先情報返信手段と、前記送信要求先への前記登録用画面の送信要求を端末から受付ける送信要求受付手段と、前記送信要求に基づく前記登録用画面を前記端末へ送信する登録用画面送信手段と、前記登録用画面に登録された前記属性情報と前記他情報の両方、または前記他情報のみを受付け、それらを、前記ユーザ情報記憶手段または他情報記憶手段に、前記送信元メールアドレスに対応付けて登録する登録情報登録手段と、を備えることを特徴とする登録情報管理装置である。
【０００６】
また本発明は、前記送信要求先情報返信手段は、前記受信した電子メールで示される送信元メールアドレスが、当該電子メールで示される送信先メールアドレスにより唯一特定される前記登録単位の識別情報に対応付けられて前記ユーザ情報記憶手段に記録されていない場合であっても、他の登録単位の識別情報に対応付けられて前記ユーザ情報記憶手段に記録されている場合には、前記他情報のみの情報を登録する前記登録用画面の送信要求先の識別情報を示す電子メール、または、前記属性情報については前記ユーザ情報記憶手段から読み取った属性情報が表示され前記他情報のみの情報を登録する前記登録用画面の送信要求先の識別情報を示す電子メール、のいずれかを、前記送信元メールアドレス宛てに送信し、属性情報移行登録手段が、他の登録単位の識別情報に対応付けられて前記ユーザ情報記憶手段に記録されている属性情報と、前記受信した電子メールで示される送信元メールアドレスとを、前記受信した電子メールで示される送信先メールアドレスにより唯一特定される前記登録単位の識別情報に対応付けて、前記ユーザ情報記憶手段に登録することを特徴とする。
【０００７】
また本発明は、前記登録単位が、店舗の単位であり、前記他情報が、アンケート情報であることを特徴とする。
【０００８】
また本発明は、前記登録単位の識別情報に対応付けられて前記ユーザ情報記憶手段に記録されている同一の送信元メールアドレスの数に応じてポイントを計算し、少なくとも前記登録単位の識別情報と、当該送信元メールアドレスと、に対応付けて前記計算したポイントをポイント記憶手段に登録するポイント計算手段と、を備えることを特徴とする。
【０００９】
また本発明は、前記端末から送信された電子メールの件名または本文の何れかに単語が含まれるか否かを判定し、単語が含まれる場合には、その単語と電子メールの送信元メールアドレスに対応付けられて前記他情報記憶手段に記録されている前記他情報、または前記ポイント記憶手段に記録されているポイントの何れか一方または両方を前記端末に返信する登録情報返信手段と、を備えることを特徴とする。
【００１０】
また本発明は、登録情報管理装置における登録情報管理方法であって、登録情報管理装置のユーザ情報記憶手段が、電子メールの送信元となる端末の送信元メールアドレスと、前記端末を利用するユーザの属性情報と、前記電子メールの送信先メールアドレスにより唯一特定される登録単位の識別情報と、を少なくとも対応付けて記憶し、登録情報管理装置のメール受信手段が、前記端末より通信ネットワークを介して電子メールを受信し、登録情報管理装置のメールアドレス登録判定手段が、前記受信した電子メールで示される送信元メールアドレスが、当該電子メールで示される送信先メールアドレスにより唯一特定される前記登録単位の識別情報に対応付けられて前記ユーザ情報記憶手段に記録されているか否かを判定し、
登録情報管理装置のメールアドレス登録手段が、前記電子メールで示される送信元メールアドレスが、当該電子メールで示される送信先メールアドレスにより唯一特定される前記登録単位の識別情報に対応付けられて前記ユーザ情報記憶手段に記録されていない場合に、当該電子メールで示される送信先メールアドレスを、該送信先メールアドレスにより唯一特定される登録単位の識別情報に対応付けて前記ユーザ情報記憶手段に登録し、登録情報管理装置の登録用画面記憶手段が、前記登録単位毎に、前記電子メールを送信するユーザの属性情報と、そのユーザが属性情報以外に登録する他情報の、何れか一方または両方の登録用画面を記憶し、登録情報管理装置の送信要求先情報返信手段が、前記電子メールで示される送信元メールアドレスが当該電子メールで示される送信先メールアドレスにより唯一特定される前記登録単位の識別情報に対応付けられて前記ユーザ情報記憶手段に記録されていない場合には、前記属性情報と前記他情報との両方の情報を登録する前記登録用画面の送信要求先の識別情報を示す電子メールを、前記送信元メールアドレス宛てに送信し、前記電子メールで示される送信元メールアドレスが当該電子メールで示される送信先メールアドレスにより唯一特定される前記登録単位の識別情報に対応付けられて前記ユーザ情報記憶手段に記録されている場合には、前記他情報のみの情報を登録する前記登録用画面の送信要求先の識別情報を示す電子メール、または、前記属性情報については前記ユーザ情報記憶手段から読み取った属性情報が表示され前記他情報のみの情報を登録する前記登録用画面の送信要求先の識別情報を示す電子メール、のいずれかを、前記送信元メールアドレス宛てに送信し、登録情報管理装置の送信要求受付手段が、前記送信要求先への前記登録用画面の送信要求を端末から受付け、登録情報管理装置の登録用画面送信手段が、前記送信要求に基づく前記登録用画面を前記端末へ送信し、登録情報管理装置の登録情報登録手段が、前記登録用画面に登録された前記属性情報と前記他情報の両方、または前記他情報のみを受付け、それらを、前記ユーザ情報記憶手段または他情報記憶手段に、前記送信元メールアドレスに対応付けて登録することを特徴とする登録情報管理方法である。
【００１１】
また本発明は、電子メールの送信元となる端末の送信元メールアドレスと、前記端末を利用するユーザの属性情報と、前記電子メールの送信先メールアドレスにより唯一特定される登録単位の識別情報と、を少なくとも対応付けて記憶するユーザ情報記憶手段と、前記登録単位毎に、前記電子メールを送信するユーザの属性情報と、そのユーザが属性情報以外に登録する他情報の、何れか一方または両方の登録用画面を記憶する登録用画面記憶手段と、を備えた登録情報管理装置のコンピュータに実行させるプログラムであって、前記端末より通信ネットワークを介して電子メールを受信するメール受信処理と、前記受信した電子メールで示される送信元メールアドレスが、当該電子メールで示される送信先メールアドレスにより唯一特定される前記登録単位の識別情報に対応付けられて前記ユーザ情報記憶手段に記録されているか否かを判定するメールアドレス登録判定処理と、前記電子メールで示される送信元メールアドレスが、当該電子メールで示される送信先メールアドレスにより唯一特定される前記登録単位の識別情報に対応付けられて前記ユーザ情報記憶手段に記録されていない場合に、当該電子メールで示される送信先メールアドレスを、該送信先メールアドレスにより唯一特定される登録単位の識別情報に対応付けて前記ユーザ情報記憶手段に登録するメールアドレス登録処理と、前記電子メールで示される送信元メールアドレスが当該電子メールで示される送信先メールアドレスにより唯一特定される前記登録単位の識別情報に対応付けられて前記ユーザ情報記憶手段に記録されていない場合には、前記属性情報と前記他情報との両方の情報を登録する前記登録用画面の送信要求先の識別情報を示す電子メールを、前記送信元メールアドレス宛てに送信し、前記電子メールで示される送信元メールアドレスが当該電子メールで示される送信先メールアドレスにより唯一特定される前記登録単位の識別情報に対応付けられて前記ユーザ情報記憶手段に記録されている場合には、前記他情報のみの情報を登録する前記登録用画面の送信要求先の識別情報を示す電子メール、または、前記属性情報については前記ユーザ情報記憶手段から読み取った属性情報が表示され前記他情報のみの情報を登録する前記登録用画面の送信要求先の識別情報を示す電子メール、のいずれかを、前記送信元メールアドレス宛てに送信する送信要求先情報返信処理と、前記送信要求先への前記登録用画面の送信要求を端末から受付ける送信要求受付処理と、前記送信要求に基づく前記登録用画面を前記端末へ送信する登録用画面送信処理と、前記登録用画面に登録された前記属性情報と前記他情報の両方、または前記他情報のみを受付け、それらを、前記ユーザ情報記憶手段または他情報記憶手段に、前記送信元メールアドレスに対応付けて登録する登録情報登録処理と、をコンピュータに実行させるプログラムである。
【発明の効果】
【００１２】
本発明によれば、一度アンケートを登録した場合には、同一の登録単位に関する情報登録時におけるユーザの属性情報の登録や、他の登録単位に関する情報登録時におけるユーザの属性情報の登録が自動的に省略されるので、端末により簡単に登録情報の登録を行なうことができ、ユーザの情報登録の労力を軽減することができる。つまり重複して同じ情報を登録する必要がなくなるので、ユーザの労力を軽減することができる。
【００１３】
また、本発明によれば、登録した情報に関連する単語などの情報を電子メールの本文や件名に入力することで、当該登録情報を容易に検索することができる。
【発明を実施するための最良の形態】
【００１４】
以下、本発明の一実施形態による登録情報管理装置を図面を参照して説明する。
図１は同実施形態による登録情報管理装置の構成を示すブロック図である。この図において、符号１はユーザが保持する端末である。この端末は携帯電話やＰＤＡなどである。また２は登録情報管理装置であり、例えば、複数の飲食店を各地で経営している企業の本部が有している。そして端末１と登録情報管理装置２とは通信ネットワークを介して接続することができる。この通信ネットワークはインターネットなどであり、端末１が携帯端末の場合には無線によりインターネットに接続される。なお端末１は有線によりインターネットに接続されるようにしてもよい。
【００１５】
また端末１において、符号１１は通信ネットワークを介して登録情報管理装置２と各種情報を送受信する通信処理部である。また１２は端末１の各処理部を制御する制御部である。また１３は液晶などの画面に画像を表示する表示部である。また１４はテンキーなどの入力部である。また１５は電子メールの作成処理や送受信処理を行なう電子メール処理部である。また１６はＱＲコードを読み込むＱＲコード読込部である。
【００１６】
また登録情報管理装置２において、符号２０１は端末１と各種情報を送受信する通信処理部である。また２０２は登録情報管理装置２の各処理部を制御する制御部である。また２０３は端末１から送信された電子メールの送信元メールアドレスが既に登録されているか否かを判定するメールアドレス登録判定部である。また２０４はユーザの属性情報や、その他の情報の登録を行なう為の登録用画面のデータ（ＨＴＭＬやＸＭＬで記述されたデータ）を記憶する登録用画面記憶部である。また２０５は登録用画面の画像データの送信要求先となるＵＲＬを電子メールに掲載して端末１に返信する送信要求先返信部である。また２０６は端末１からの送信要求に基づいて登録用画面の画像データを端末１に送信する登録用画面送信部である。
【００１７】
また２０７は端末1において登録用画面に入力された情報を受信してデータベース２１１に書き込む情報登録部である。また２０８は既にデータベース内のテーブルに記録されているユーザの属性情報を他のテーブルの欄に移行登録する属性情報移行部である。また２０９はユーザの情報登録の件数に基づいてポイントを計算するポイント計算部である。また２１０はデータベースの各テーブルに記録されているユーザの情報について検索して端末１に返信する登録情報返信部である。また２１１は各種情報を記憶するデータベースである。
【００１８】
そして、本実施形態においては、飲食チェーン店の店舗を複数有する企業が、登録情報管理装置２を用いて、各店舗におけるアンケートを実施する際の、各ユーザからのアンケート情報の登録と、ユーザの属性情報の登録を受付ける。この際、当該ユーザの情報登録時の労力を軽減するための各処理を登録情報管理装置２が行い、また登録情報管理装置２は、各ユーザのアンケートの回答回数に応じたポイントの加算処理と、ユーザからの電子メールによる登録情報の返信処理を行なう。
【００１９】
次にデータベースで保持するテーブルについて説明する。
図２は店舗識別番号参照テーブルである。
このテーブルは、電子メールの送信先メールアドレスに対応付けられて店舗情報と店舗識別番号とが対応付けて記録されている。
【００２０】
図３はユーザ属性情報テーブルである。
この図は、店舗識別番号と送信元メールアドレスとに対応付けて、氏名、年齢、性別、住所などのユーザの属性情報と、その登録年月日が登録されている。
【００２１】
図４はアンケート履歴テーブルである。
この図は、店舗識別番号と送信元メールアドレスとに対応付けて、アンケートの回答結果（アンケート１〜アンケート５）とその登録年月日が登録されている。
【００２２】
図５はポイント参照テーブルである。
この図は、店舗識別番号と送信元メールアドレスとに対応付けて、ポイントのデータが登録されている。
【００２３】
次に、本実施形態における、登録情報管理装置の処理について説明する。
図６は登録情報管理装置と端末との処理フローを示す第１の図である。
図６より、まず、飲食店のある店舗を利用したユーザが、当該店舗に対するアンケートに回答する。この時、例えばアンケート用紙には、当該店舗に対するアンケートの送信先メールアドレスの情報を保持したＱＲコードが印刷されている。ユーザは端末１のＱＲコード読込部１６にこのＱＲコードを読み込ませる（ステップＳ１０１）。電子メール処理部１５は、ＱＲコード読込部１６からＱＲコードを受付けると、当該ＱＲコードが示す送信先メールアドレスを宛先とする電子メールを自動生成し、送信する（ステップＳ１０２）。なお、ＱＲコードではなく、ユーザが直接メールアドレスを入力して電子メールを作成し、送信するようにしてもよい。ここで、この電子メールの送信先メールアドレスは、登録情報管理装置２宛てのメールアドレスであり、また登録情報管理装置２は複数の各店舗に割り当てられたメールアドレスの送信先となる。
【００２４】
次に、電子メールは通信処理部１１を介して通信ネットワーク経由で登録情報管理装置２が受信する。登録情報管理装置２はメールサーバの機能も有しており、当該機能により、メールアドレス登録判定部２０３に電子メールのデータが転送される。メールアドレス登録判定部２０３は受け付けた電子メールのデータから、送信元メールアドレスと、送信先メールアドレスとを読み取る。そしてメールアドレス登録判定部２０３は、送信先メールアドレスに対応付けられて、データベース２１１の店舗識別番号参照テーブルに記録されている店舗識別番号を読み取る。これにより、どの店舗についてのアンケートの電子メールを端末１が送信したのかを検出する。
【００２５】
次にメールアドレス登録判定部２０３は、（１）電子メールから検出した送信元メールアドレスがユーザ属性情報テーブルに登録されていない、（２）電子メールから検出した送信元メールアドレスと店舗識別番号がユーザ属性情報テーブルに対応付けられて登録されている、（３）電子メールから検出した送信元メールアドレスが同一電子メールの送信先メールアドレスから検出した店舗識別番号とは異なる他の店舗識別番号に対応付けられてユーザ属性情報テーブルに登録されている、の３つのパターンの何れであるかのメールアドレス登録判定を、ユーザ属性情報テーブルを参照して行なう（ステップＳ１０３）。そして、ユーザ属性情報テーブルにおいて、送信元メールアドレスが、どの店舗識別番号にも対応付けて記録されていない（つまり上記１の場合）と判定した場合には（ステップＳ１０４）、電子メールを送信した端末１のユーザは、初めてアンケートに回答したユーザであると判定する。そして、そしてメールアドレス登録判定部２０３は、読み取った店舗識別番号と送信元メールアドレスとを対応付けてユーザ属性情報テーブルに登録する。送信元メールアドレスを登録するとメールアドレス登録判定部２０３は、初回の電子メール送信である旨を示す情報と、送信元メールアドレスとを送信要求先返信部２０５へ通知する。
【００２６】
送信要求先返信部２０５は、メールアドレス登録判定部２０３から通知を受けると、その送信元メールアドレス宛ての電子メールを自動生成する。またこの時、初回の電子メールであるため、アンケートの内容とその回答欄と、ユーザの属性情報（氏名、年齢、性別、住所・・・）の入力欄を端末１の画面に表示する登録用画面ａの送信要求先のＵＲＬを電子メールの本文に書き込む。また送信要求先返信部２０５は、この他、アンケートに協力を促す文章や、アンケート回答のための操作方法の文章などを電子メールの本文に書込んでもよい。そして送信要求先返信部２０５は、生成した電子メールを端末１に送信する（ステップＳ１０５）。
【００２７】
次に、端末１では登録情報管理装置２から送信された電子メールを電子メール処理部１５が受信し、当該電子メールを表示部１３が画面に出力する。この電子メールには、登録用画面を受信するための上記送信要求先返信部２０５により書込まれたＵＲＬが記載されている。ユーザが端末１を操作し、このＵＲＬへのアクセスを指定すると、当該ＵＲＬを保持した登録用画面送信要求が端末１から送信される（ステップＳ１０６）。登録情報管理装置２は、登録用画面送信要求に含まれるＵＲＬに対応するサーバ装置として機能しており、これにより登録情報管理装置２が当該登録用画面送信要求を受付ける。すると登録用画面送信部２０６が登録用画面送信要求に含まれるＵＲＬを読み込み、そのＵＲＬに対応する登録用画面ａを登録用画面記憶部２０４から読み取る。そして、その登録用画面ａを通信処理部２０１を介して端末１に送信する（ステップＳ１０７）。なお、この登録用画面送信要求に対する登録用画面の送信の技術は携帯電話などで利用されているＨＴＴＰによるＨＴＭＬやＸＴＭＬで記述されたデータ配信などによって実現可能である。
【００２８】
次に、端末１では受信した登録用画面を表示部１３が画面に出力する。この画面は、端末１が送信した上記登録用画面送信要求に含まれるＵＲＬに対応する画面であるので、アンケートの内容とその回答欄と、ユーザの属性情報の入力欄を端末１に表示する登録用画面ａである。ユーザは端末１を操作して、アンケートの回答欄への情報の入力と、属性情報の入力欄への情報の入力を行い（ステップＳ１０８）、送信指示を入力する。すると、端末１の制御部１２は、通信処理部１１に、アンケートの回答情報とユーザの属性情報を含む登録要求を登録情報管理装置２へ送信する（ステップＳ１０９）。そしてその登録要求の情報を登録情報管理装置２が受信する。登録情報管理装置２では登録要求を受信すると情報登録部２０７が、その登録要求を送信した端末１のメールアドレス（送信元メールアドレス）と、アンケートを行なった店舗の識別番号（送信先メールアドレスから特定される店舗識別番号）を検出し、その店舗識別番号と送信元メールアドレスとに対応付けてユーザ属性情報テーブルとアンケート履歴テーブルとにそれぞれユーザの属性情報とアンケート回答情報を登録する（ステップＳ１１０）。なおこの時の端末１を示す送信元メールアドレスや店舗を示す識別番号の検出は、上述の処理により端末１から電子メールを受信してからの一連のセッションを登録情報管理装置２がＩＤにより管理・記憶することにより検出していてもよいし、また、登録用画面送信要求などのＵＲＬの末端に情報を格納して、それにより登録情報管理装置２が検出してもよい。
【００２９】
以上の処理により初回のアンケートへの回答情報とユーザの情報とが登録される。飲食店の店舗を複数保有する企業は、これらのアンケートの回答情報を、サービス改善などに用いることができる。そして、この回答情報とユーザ属性情報の登録が、端末により簡単に行なうことができるので、ユーザの情報登録の労力を軽減することが出来る。
【００３０】
図７は登録情報管理装置と端末との処理フローを示す第２の図である。
次に図７を用いて、ユーザの２回目以降の情報登録の処理について説明する。
ここでこの２回目のアンケートへの回答は1回目と同じ店舗を利用した場合の処理を示す。この時、上記同様アンケート用紙には、当該店舗に対するアンケートの送信先メールアドレスの情報を保持したＱＲコードが印刷されている。ユーザは端末１のＱＲコード読込部１６にこのＱＲコードを読み込ませる（ステップＳ２０１）。電子メール処理部１５は、ＱＲコード読込部１６からＱＲコードを受付けると、当該ＱＲコードが示す送信先メールアドレスを宛先とする電子メールを自動生成し、送信する（ステップＳ２０２）。
【００３１】
次に、電子メールは通信処理部１１を介して通信ネットワーク経由で登録情報管理装置２が受信する。そしてメールアドレス登録判定部２０３が、受け付けた電子メールのデータから、送信元メールアドレスと、送信先メールアドレスとを読み取る。そしてメールアドレス登録判定部２０３は、送信先メールアドレスに対応付けられて、データベース２１１の店舗識別番号参照テーブルに記録されている店舗識別番号を読み取る。
【００３２】
次にメールアドレス登録判定部２０３は、（１）電子メールから検出した送信元メールアドレスがユーザ属性情報テーブルに登録されていない、（２）電子メールから検出した送信元メールアドレスと店舗識別番号がユーザ属性情報テーブルに対応付けられて登録されている、（３）電子メールから検出した送信元メールアドレスが電子メールの送信先メールアドレスから検出した店舗識別番号とは異なる他の店舗識別番号に対応付けられてユーザ属性情報テーブルに登録されている、の３つのパターンの何れであるかのメールアドレス登録判定を、ユーザ属性情報テーブルを参照して行なう（ステップＳ２０３）。ここで、同一店舗についてのアンケートへの回答として端末１から電子メールが送信されたのは２回目以降であるため、ユーザ属性情報テーブルにおいては、送信元メールアドレスと店舗識別番号とが対応付けて登録されていると判定し（つまり２の場合）、これにより、電子メールを送信した端末１のユーザが、同一店舗についてのアンケートに２回以上回答したユーザであると判定する（ステップＳ２０４）。メールアドレス登録判定部２０３は、２回目以上の電子メール送信である旨を示す情報と、送信元メールアドレスとを送信要求先返信部２０５へ通知する。
【００３３】
送信要求先返信部２０５は、メールアドレス登録判定部２０３から通知を受けると、その送信元メールアドレス宛ての電子メールを自動生成する。またこの時、２回目以降の電子メールであるため、アンケートの内容とその回答欄のみを端末１の画面に表示する登録用画面ｂの送信要求先のＵＲＬを電子メールの本文に書き込む。また送信要求先返信部２０５は、この他、アンケートに協力を促す文章や、アンケート回答のための操作方法の文章などを電子メールの本文に書込んでもよい。そして送信要求先返信部２０５は、生成した電子メールを端末１に送信する（ステップＳ２０５）。なお、登録用画面については、アンケートの内容とその回答欄と、既知のユーザの属性情報（氏名、年齢、性別、住所・・・）を端末１の画面に表示する登録用画面ｃの送信要求先のＵＲＬを電子メールの本文に書き込むようにしてもよい。
【００３４】
次に、端末１では登録情報管理装置２から送信された電子メールを電子メール処理部１５が受信し、当該電子メールを表示部１３が画面に出力する。この電子メールには、登録用画面を受信するための上記送信要求先返信部２０５により書込まれたＵＲＬが記載されている。ユーザが端末１を操作しこのＵＲＬへのアクセスを指定すると、当該ＵＲＬを保持した登録用画面送信要求が端末１から送信される（ステップＳ２０６）。登録情報管理装置２は、登録用画面送信要求に含まれるＵＲＬに対応するサーバ装置として機能しており、これにより登録情報管理装置２が当該登録用画面送信要求を受付ける。すると登録用画面送信部２０６が登録用画面送信要求に含まれるＵＲＬを読み込み、そのＵＲＬに対応する登録用画面ｂまたは登録用画面ｃを登録用画面記憶部２０４から読み取る。そして、その登録用画面ｂまたはｃを通信処理部２０１を介して端末１に送信する（ステップＳ２０７）。なお登録用画面ｃにおいては、ユーザは２回目以降のアンケートへの回答のため、既にユーザの属性情報は既知である。従って、送信要求先返信部２０５は、ユーザ属性情報テーブルから、送信元メールアドレスをキーに属性情報を読み取って、登録用画面ｃの属性情報の入力欄に予め読み取った情報を書き込み、当該情報を端末１の画面に表示する登録用画面ｃを生成して送信する。
【００３５】
次に、端末１では受信した登録用画面を表示部１３が画面に出力する。この画面は、端末１が送信した上記登録用画面送信要求に含まれるＵＲＬに対応する画面であるので、アンケートの内容とその回答欄のみを端末１に表示する登録用画面ｂ、または、アンケートの内容とその回答欄と、ユーザの属性情報が既に書込まれた入力欄とを端末１に表示する登録用画面ｃのいずれか一方である。ユーザは端末１を操作して、アンケートの回答欄への情報の入力を行い、送信指示を入力する（ステップＳ２０８）。すると、端末１の制御部１２は、通信処理部１１に、アンケートの回答情報を含む登録要求（登録用画面ｃの場合には属性情報も含んでもよい）を登録情報管理装置２へ送信する（ステップＳ２０９）。そしてその登録要求の情報を登録情報管理装置２が受信する。登録情報管理装置２では登録要求を受信すると情報登録部２０７が、その登録要求を送信した端末１のメールアドレス（送信元メールアドレス）と店舗の識別情報とを検出し、それら情報に対応付けてアンケート履歴テーブルにアンケート回答情報を登録する（ステップＳ２１０）。
【００３６】
以上の処理により、ユーザの情報登録が２回目以降である場合には、ユーザ属性情報を入力せずに済み、これにより、ユーザの労力が軽減されるため、アンケートに対する回答を増加させる効果が得られる。
【００３７】
図８は登録情報管理装置と端末との処理フローを示す第３の図である。
次に図８を用いて、３回目のアンケートへの回答が上述の1回目や２回目のアンケートを回答した店舗とは異なる店舗における初回の回答である処理を示す。ユーザは端末１のＱＲコード読込部１６にこのＱＲコードを読み込ませる（ステップＳ３０１）。電子メール処理部１５は、ＱＲコード読込部１６からＱＲコードを受付けると、当該ＱＲコードが示す送信先メールアドレスを宛先とする電子メールを自動生成し、送信する（ステップＳ３０２）。
【００３８】
次に、電子メールは通信処理部１１を介して通信ネットワーク経由で登録情報管理装置２が受信する。そしてメールアドレス登録判定部２０３が、受け付けた電子メールのデータから、送信元メールアドレスと、送信先メールアドレスとを読み取る。そしてメールアドレス登録判定部２０３は、送信先メールアドレスに対応付けられて、データベース２１１の店舗識別番号参照テーブルに記録されている店舗識別番号を読み取る。
【００３９】
次にメールアドレス登録判定部２０３は、（１）電子メールから検出した送信元メールアドレスがユーザ属性情報テーブルに登録されていない、（２）電子メールから検出した送信元メールアドレスと店舗識別番号がユーザ属性情報テーブルに対応付けられて登録されている、（３）電子メールから検出した送信元メールアドレスが電子メールの送信先メールアドレスから検出した店舗識別番号とは異なる他の店舗識別番号に対応付けられてユーザ属性情報テーブルに登録されている、の３つのパターンの何れであるかのメールアドレス登録判定を、ユーザ属性情報テーブルを参照して行なう（ステップＳ３０３）。メールアドレス登録判定部２０３は、電子メールから検出した送信元メールアドレスが、同一電子メールの送信先メールアドレスから検出した店舗識別番号とは異なる他の店舗識別番号に対応付けられてユーザ属性情報テーブルに登録されている（つまり３の場合）ことを判定すると、他の店舗についてのアンケートのみが回答済みであると判定する（ステップＳ３０４）。そして、メールアドレス登録判定部２０３は、他の店舗についてのアンケートのみが回答済みである旨を示す情報と、送信元メールアドレスとを送信要求先返信部２０５へ通知する。
【００４０】
送信要求先返信部２０５は、メールアドレス登録判定部２０３から通知を受けると、その送信元メールアドレス宛ての電子メールを自動生成する。またこの時、他の店舗についてのアンケートには既に答えており、２回目以降の電子メールとなるため、アンケートの内容とその回答欄のみを端末１の画面に表示する登録用画面ｂの送信要求先のＵＲＬを電子メールの本文に書き込む。また送信要求先返信部２０５は、この他、アンケートに協力を促す文章や、アンケート回答のための操作方法の文章などを電子メールの本文に書込んでもよい。そして送信要求先返信部２０５は、生成した電子メールを端末１に送信する（ステップＳ３０５）。なお、登録用画面については、アンケートの内容とその回答欄と、既知のユーザの属性情報（氏名、年齢、性別、住所・・・）を端末１の画面に表示する登録用画面ｃの送信要求先のＵＲＬを電子メールの本文に書き込むようにしてもよい。
【００４１】
次に、端末１では登録情報管理装置２から送信された電子メールを電子メール処理部１５が受信し、当該電子メールを表示部１３が画面に出力する。この電子メールには、登録用画面を受信するための上記送信要求先返信部２０５により書込まれたＵＲＬが記載されている。ユーザが端末１を操作しこのＵＲＬへのアクセスを指定すると、当該ＵＲＬを保持した登録用画面送信要求が端末１から送信される（ステップＳ３０６）。登録情報管理装置２は、登録用画面送信要求に含まれるＵＲＬに対応するサーバ装置として機能しており、これにより登録情報管理装置２が当該登録用画面送信要求を受付ける。すると登録用画面送信部２０６が登録用画面送信要求に含まれるＵＲＬを読み込み、そのＵＲＬに対応する登録用画面ｂまたは登録用画面ｃを登録用画面記憶部２０４から読み取る。そして、その登録用画面ｂまたはｃを通信処理部２０１を介して端末１に送信する（ステップＳ３０７）。なお登録用画面ｃにおいては、ユーザは他の店舗についてのアンケートには既に答えているので、既にユーザの属性情報は既知である。従って、送信要求先返信部２０５は、ユーザ属性情報テーブルから、送信元メールアドレスをキーに、他の店舗の識別番号に対応付けられている属性情報を読み取って、登録用画面ｃの属性情報の入力欄に予め読み取った情報を書き込み、当該情報を端末１の画面に表示する登録用画面ｃを生成して送信する。
【００４２】
次に、端末１では受信した登録用画面を表示部１３が画面に出力する。この画面は、端末１が送信した上記登録用画面送信要求に含まれるＵＲＬに対応する画面であるので、アンケートの内容とその回答欄のみを端末１に表示する登録用画面ｂ、または、アンケートの内容とその回答欄と、ユーザの属性情報が既に書込まれた入力欄との両方を端末１に表示する登録用画面ｃのいずれか一方である。ユーザは端末１を操作して、アンケートの回答欄への情報の入力を行い（ステップＳ３０８）、送信指示を入力する。すると、端末１の制御部１２は、通信処理部１１に、アンケートの回答情報を含む登録要求（登録用画面ｃの場合には属性情報も含む）を登録情報管理装置２へ送信する（ステップＳ３０９）。
【００４３】
そしてその登録要求の情報を登録情報管理装置２が受信する。登録情報管理装置２では登録要求を受信すると情報登録部２０７が、その登録要求を送信した端末１のメールアドレス（送信元メールアドレス）と店舗の識別情報とを検出し、それら情報に対応付けてアンケート履歴テーブルにアンケート回答情報を登録する（ステップＳ３１０）。また今回アンケートを行なった店舗の店舗識別情報と端末１を示す送信元メールアドレスとに対応付けられて、属性情報が登録されていないので、属性情報移行部２０８は、他の店舗の識別番号と送信元メールアドレスとに対応付けられてユーザ属性情報テーブルに記録されている属性情報を読み取って、今回アンケートを行なった店舗の店舗識別情報と端末１を示す送信元メールアドレスとに対応付けて移行登録する（ステップＳ３１１）。または登録用画面ｃにより登録要求を受信した場合には、当該登録要求に含まれる属性情報を、今回アンケートを行なった店舗の店舗識別情報と端末１を示す送信元メールアドレスとに対応付けて登録するようにしてもよい。
【００４４】
以上の処理により、新たな店舗の情報登録である場合にも、ユーザ属性情報を入力せずに済み（登録用画面ｂにより登録する場合）、これにより、ユーザの労力が軽減されるため、アンケートに対する回答を増加させる効果が得られる。
【００４５】
また登録情報管理装置２のポイント計算部２０９は、アンケート履歴テーブルを参照し、所定の間隔で、同一の送信元メールアドレスが何個登録されているかを読み取る。つまり、ユーザが何回アンケートに回答したかを読み取る。そしてそのアンケートへの回答の回数に所定の数を掛けた値をポイント値として、送信元メールアドレスに対応付けてポイント参照テーブルに書き込む。これにより、アンケートへの回答回数に応じたポイントをユーザに割り当てることができる。そして、このポイントによりユーザにサービスを還元することで、さらなるアンケートへの回答の増加を見込むことができる。
【００４６】
また、登録情報管理装置２は、データベースに登録された情報を検索して、端末１へ送信する処理も行なう。ユーザが電子メールを作成し、本文や件名に単語を書込み、これを登録情報管理装置２に送信する。すると登録情報管理装置の登録情報返信部２１０は、電子メールの送信元メールアドレスをキーにして、各テーブルから、アンケート結果や、属性情報や、ポイントの情報を読み取る。そして、単語により全文検索を行ない、これにより検索された情報を電子メールにより返信する。つまり、ユーザが“ポイント”という単語を記載した電子メールを送信すると、登録情報返信部２１０は、ポイントという単語に関連づけられているポイント値を検索し、当該ポイント値を端末１に送信する。また同様に、アンケート結果や、ユーザ自身の属性情報も端末１から参照することができる。これにより、ユーザは自身の登録した情報などを確認することが可能となる。
【００４７】
なお、上述の登録情報管理装置や端末は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
のも含むものとする。
【００４８】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４９】
【図１】登録情報管理装置の構成を示すブロック図である。
【図２】店舗識別番号参照テーブルである。
【図３】ユーザ属性情報テーブルである。
【図４】アンケート履歴テーブルである。
【図５】ポイント参照テーブルである。
【図６】登録情報管理装置と端末との処理フローを示す第１の図である。
【図７】登録情報管理装置と端末との処理フローを示す第２の図である。
【図８】登録情報管理装置と端末との処理フローを示す第３の図である。
【符号の説明】
【００５０】
１・・・端末
２・・・登録情報管理装置
２０１・・・通信処理部
２０２・・・制御部
２０３・・・メールアドレス登録判定部
２０４・・・登録用画面記憶部
２０５・・・送信要求先返信部
２０６・・・登録用画面送信部
２０７・・・情報登録部
２０８・・・属性情報移行部
２０９・・・ポイント計算部
２１０・・・登録情報返信部
２１１・・・データベース
【図１】
2007094485.tif 000003
【図２】
2007094485.tif 000004
【図３】
2007094485.tif 000005
【図４】
2007094485.tif 000006
【図５】
2007094485.tif 000007
【図６】
2007094485.tif 000008
【図７】
2007094485.tif 000009
【図８】
2007094485.tif 000010